(57)【要約】【課題】部品点数を削減できるバッテリー端子を提供する。【解決手段】バッテリー端子１０は、バッテリーの外面から突出するバッテリーポストＰに取り付けられ、導電性金属板からなる上板部２０及びその上板部２０の一端側において一体化されて他端側が前記上板部２０と間隔を隔てて対向する下板部４０を備えたバッテリー端子１０であって、前記上板部２０は、前記バッテリーポストＰの上端部を収容して前記バッテリーポストＰに接触する接触部３０を備え、前記下板部４０及び前記上板部２０の前記他端部間には前記他端部間を接近させることで前記接触部３０を前記バッテリーポストＰに押し付ける締結部材７０を備え、前記接触部３０は、前記バッテリーポストＰの上面に接触する上面接触部３１と、前記バッテリーポストＰの上端部の外周面を挟み込む側面接触部３３とを備える。【選択図】図４
2018120696.tif 000002
【特許請求の範囲】
【請求項１】
バッテリーの外面から突出するバッテリーポストに取り付けられ、導電性金属板からなる上板部及びその上板部の一端側において一体化されて他端側が前記上板部と間隔を隔てて対向する下板部を備えたバッテリー端子であって、
前記上板部は、前記バッテリーポストの上端部を収容して前記バッテリーポストに接触する接触部を備え、
前記下板部及び前記上板部の前記他端部間には前記他端部間を接近させることで前記接触部を前記バッテリーポストに押し付ける締結部材を備え、
前記接触部は、前記バッテリーポストの上面に接触する上面接触部と、前記バッテリーポストの上端部の外周面を挟み込む側面接触部とを備えるバッテリー端子。
【請求項２】
前記側面接触部は前記バッテリーポストの外周面の上端部の全周を覆う円筒状になっている請求項１に記載のバッテリー端子。
【請求項３】
前記上板部と前記下板部とは、一枚の導電性金属板からなる請求項１または請求項２に記載のバッテリー端子。
【発明の詳細な説明】
【技術分野】
【０００１】
本明細書に開示される技術は、バッテリー端子に関する。
【背景技術】
【０００２】
従来、車両に搭載されるバッテリーのバッテリーポストに取り付けられるバッテリー端子が知られている。例えば、特開２０１６−９１７８３号公報（下記特許文献１）のバッテリー端子では、バッテリーポストが挿入されるポスト挿入孔及びポスト挿入孔と連続するスリットが形成された環状部が設けられている。そして、この環状部の一端部からスリットを挟んで他端まで貫通して配置される貫通板を用いて、環状部のスリットの間隔を縮小する方向に環状部を押圧することで、バッテリー端子がバッテリーポストに接続されている。より具体的には、貫通板の一端側には、環状部からの抜け出しを防止する抜け止め部が設けられており、他端側には、締結ボルトがバッテリーポストの軸方向に締めこまれる締結孔が設けられている。そして、締結ボルトを締結孔に締めこむ力によって、締結ボルトを挿通させる第１スペーサと、第１スペーサに当接する第２スペーサを介して、環状部を縮径方向に押圧することで、バッテリー端子がバッテリーポストに取り付けられている。つまり、軸方向に沿った方向に締結ボルトを締め付ける力を、軸方向と交差する締め付け方向への押圧力に変換し、締結ボルトを締め付けるための作業スペースをバッテリーの上方として、バッテリーの側方の作業スペースを低減している。
【先行技術文献】
【特許文献】
【０００３】
【特許文献１】特開２０１６−９１７８３号公報
【発明の概要】
【発明が解決しようとする課題】
【０００４】
しかしながら、特開２０１６−９１７８３号公報（上記特許文献１）のバッテリー端子では、力のかかる方向を変換するために、複数の部品を用いており、部品点数が多くなる。また、特開２０１６−９１７８３号公報（上記特許文献１）のバッテリー端子では、バッテリーポストの下側（バッテリー外面に近い側）を締め付けているが、バッテリーポストの下側は、内部がバッテリー内部と連通する中空状になっていることが多く、過度の力をかけた場合に破損する虞がある。
【課題を解決するための手段】
【０００５】
本明細書で開示されるバッテリー端子は、バッテリーの外面から突出するバッテリーポストに取り付けられ、導電性金属板からなる上板部及びその上板部の一端側において一体化されて他端側が前記上板部と間隔を隔てて対向する下板部を備えたバッテリー端子であって、前記上板部は、前記バッテリーポストの上端部を収容して前記バッテリーポストに接触する接触部を備え、前記下板部及び前記上板部の前記他端部間には前記他端部間を接近させることで前記接触部を前記バッテリーポストに押し付ける締結部材を備え、前記接触部は、前記バッテリーポストの上面に接触する上面接触部と、前記バッテリーポストの上端部の外周面を挟み込む側面接触部とを備える。
【０００６】
このバッテリー端子では、バッテリーポストに取り付けられた上板部の他端側に対して、他端部間を接近させるように締結部材によって締付られることで、上板部の他端側と接触部が押し下げられる。バッテリーポストは上端が僅かに細くなるテーパー形状をしているため、上板部が押し下げられる過程で側面接触部がバッテリーポストの外周面に密着すると共に締結部材の締付度合いによっては上面接触部がバッテリーポストの上面に当接する。このバッテリー端子では、上板部の接触部自体がバッテリーポストに対して挟み込むようになることで、部品点数を減らすことができる。また、バッテリーポストの中実状であって強度の高い上部に対して挟み込むから、バッテリーポストが破損する虞がない。
【０００７】
本明細書に開示されるバッテリー端子の実施の態様として、以下の構成としてもよい。
前記側面接触部は前記バッテリーポストの外周面の上端部の全周を覆う円筒状になっている構成としても良い。
【０００８】
側面接触部でも、バッテリーポストの外周面の上端部の全周を覆うため、接触面積が増え、電気的に接続できる部分が増加する。
【０００９】
また、前記上板部と前記下板部とは、一枚の導電性金属板からなる構成としても良い。
【００１０】
上板部と下板部とが一枚の導電性金属板をプレス成型して一体となることで、さらに部品点数を削減することができる。
【発明の効果】
【００１１】
本明細書に開示されるバッテリー端子によれば、部品点数を削減することができる。
【図面の簡単な説明】
【００１２】
【図１】実施形態におけるバッテリー端子の側面図
【図２】バッテリー端子の平面図
【図３】バッテリー端子がバッテリーポストに接続に接続される前の状態の断面図
【図４】バッテリー端子がバッテリーポストに接続に接続された後の状態の断面図
【発明を実施するための形態】
【００１３】
＜実施形態＞
実施形態を図１から図４の図面を参照しながら説明する。
バッテリー端子１０は、バッテリーの外面から突出するバッテリーポストＰに対して、上から嵌合するようにして接続される。バッテリーポストＰは、鉛製であって、円柱形をしている。より具体的には、上方に向かって縮径した円錐台形状をなしている。以下の説明では、図１における上側を上側とし、図１における下側（バッテリー側）を下側として説明する。また、図１における右側（ベース部６０側）を前側（「一端側」の一例）とし、図１における左側を後側（「他端側」の一例）とする。
【００１４】
本実施形態のバッテリー端子１０は、図１に示すように、一枚の銅合金等の導電性金属板をプレス加工することで形成された上板部２０と、下板部４０と、上板部２０と下板部４０とを一体化するベース部６０と、上板部２０と下板部４０とを接近させる締結部材７０とを備えている。締結部材７０は、後記する下板部４０の下側締結部４５から立設するボルト７１と、ボルト７１と螺合するナット７３とからなる。ボルト７１は、頭部７１Ａと軸部７１Ｂとからなる。
【００１５】
上板部２０は、図１及び図２に示すように、バッテリーポストＰに接触する接触部３０と、接触部３０とベース部６０との間に配されて接触部３０の高さ位置となるように曲げられた屈曲部２１と、屈曲部２１とは接触部３０を挟んで反対側に設けられた上側締結部２３とを備えている。上側締結部２３は、接触部３０の後端部から延びており、平面視矩形状で、下側締結部４５に対向する。上側締結部２３の上面は、ナット７３と接触する締結面２３Ａとなっている。また、上側締結部２３の中央には、ボルト７１の軸部７１Ｂを挿通させる長孔状の長孔２５が設けられている。長孔２５は、軸部７１Ｂの外径よりも、その内径が大きく、若干前後方向に長い形状である。
【００１６】
屈曲部２１は、ベース部６０から後方に延びるベース延伸部２１Ａと、ベース延伸部２１Ａから直角に曲げられて上方に延びる垂直部２１Ｂと、垂直部２１Ｂから支点部２１Ｃで曲げられて接触部３０に繋がる繋ぎ部２１Ｄとを備えている。ベース延伸部２１Ａと、繋ぎ部２１Ｄは、後記する下板部４０の下板本体部４１に対向する。支点部２１Ｃでは、垂直部２１Ｂと繋ぎ部２１Ｄとの間が、鈍角になるように曲げられている。そのため、自然状態では、支点部２１Ｃよりも上側締結部２３（上板部２０の後端部）が上方に位置しており、繋ぎ部２１Ｄと接触部３０の下端縁と上側締結部２３とがバッテリーポストＰの軸線方向に対して斜めになっている。
【００１７】
接触部３０は、図２及び図３に示すように、バッテリーポストＰの上端部を収容可能であり、バッテリーポストＰの上面に接触する上面接触部３１と、バッテリーポストＰの上端部の外周面を挟み込むように接触する側面接触部３３とを備える。上面接触部３１は、平面視円形状をしており、側面接触部３３は、上面接触部３１の周縁部を下側に延ばして外側に拡径させた円筒状となっており、接触部３０全体として、バッテリーポストＰの上端部の外周面の全周を覆う浅い円形盆状となっている。上面接触部３１の内面の大きさは、バッテリーポストＰの上面の大きさと同じか若干大きくなっている。側面接触部３３の上下方向の寸法は、バッテリーポストＰの内側が中空な部分にかからない程度となっている。側面接触部３３は、下側にいくほど拡径しており、そのテーパー比は、バッテリーポストＰのテーパー比と同じかバッテリーポストＰのテーパー比よりも大きい。そして、側面接触部３３の下端位置での内径は、バッテリーポストＰの当該位置での外径と同じか若干小さい。
【００１８】
下板部４０は、図１及び図３に示すように、下板本体部４１と、下側締結部４５と、下側本体部４１と下側締結部４５とを繋ぐ下側繋ぎ部４９とを備えている。
下板本体部４１は、ベース部６０から後方に延び、前端部４１Ａが平面視矩形状で、後端部４１Ｂが平面視円形状の平板状となっている。下板本体部４１の後端部４１Ｂには、バッテリーポストＰを挿通するポスト挿通孔４３が設けられている。ポスト挿通孔４３の内径は、バッテリーポストＰの最大外径よりも大きく、バッテリーポストＰを挿通可能となっている。
【００１９】
下側締結部４５は、上側締結部２３と対向する位置に配されており、下側繋ぎ部４９が下板本体部４１の後端で直角に曲げられて上方に延びた後、下側繋ぎ部４９の上端で再度直角に曲げられることで、下側締結部４５は、下板本体部４１よりも上方に位置し、かつ下板本体部４１と平行になっている。下側締結部４５の下面には、ボルト７１の頭部７１Ａが固定され、下側締結部４５の中央には、ボルト７１の軸部７１Ｂを挿通可能なボルト孔４７が設けられている。ボルト孔４７の内径は、ボルト７１の軸部７１Ｂの外径と同じか若干大きい。また、下側締結部４５の前端部は、下方に折り曲げられて延びており、ボルト７１の頭部７１Ａを保護する。
【００２０】
ベース部６０は、図１及び図３に示すように、後方に開口した箱形をしており、ベース部６０の上面からスタッドボルト６１が立設している。このスタッドボルト６１にバッテリーに接続される図示しない電線の丸端子等が挿通されて電気的に接続される。また、ベース部６０で、上板部２０から連続した金属板が前端で下方に直角に曲げられて、さらに後方に直角に曲げられて下板部４０に連続する。つまり、上板部２０と下板部４０とは、ベース部６０で連結されて一体となっている。
【００２１】
本実施形態のバッテリー端子１０は、以上のような構成であって、続いてその作用を説明する。
バッテリー端子１０をバッテリーポストＰに接続する際には、図１に示すように、上板部２０の接触部３０等の後端部が上方になる斜め姿勢になった状態に一枚の金属板を曲げ成形する。このように一枚の導電性金属板でバッテリー端子１０を曲げ形成することで、部品点数を削減することができる。
【００２２】
そして、下側締結部４５のボルト孔４７にボルト７１の軸部７１Ｂを挿通した状態で、下側締結部４５にボルト７１の頭部７１Ａを固定する。そして、このボルト７１の軸部７１Ｂを上側締結部２３の長孔２５に挿通する。そして、上側締結部２３を挿通したボルト７１の軸部７１Ｂの先端部分にナット７３が緩くねじ込まれて、上板部２０が支点部２１Ｃから斜め姿勢の仮保持位置に保持される。なお、上側締結部２３の長孔２５は、軸部７１Ｂの外径よりも長孔２５の前後方向の寸法が大きいため、上側締結部２３が斜め姿勢であっても、長孔２５にボルト７１の軸部７１Ｂを挿通できる。
【００２３】
上板部２０が仮保持位置に保持された状態では、図１及び図３に示すように、接触部３０は、斜め姿勢になっており、バッテリーポストＰの軸方向に垂直な面における斜め姿勢での接触部３０の内寸法は、バッテリーポストＰの上端部の外径寸法よりも大きい。また、下板部４０のポスト挿通孔４３の内径は、バッテリーポストＰの最大外径よりも大きい。そのため、バッテリー端子１０をバッテリーポストＰに対して、上から外嵌したときに、ポスト挿通孔４３と接触部３０をバッテリーポストＰに対してスムーズに外嵌することができる。
【００２４】
そして、図４に示すように、手などでバッテリー端子１０をバッテリーポストＰに対して押し付けながら、ナット７３をボルト７１に対して深くねじ込む。すると、上側締結部２３の締結面２３Ａにナット７３が当接し、その力によって、上側締結部２３が下側に押し下げられ、上側締結部２３と下側締結部４５とが接近させられる。そして、上側締結部２３が押し下げられると、同時に支点部２１Ｃを支点として接触部３０も押し下げられる。この際に、側面接触部３３の内径は、バッテリーポストＰの上端部の外径と同じか若干小さいことから、側面接触部３３の下端が、バッテリーポストＰの外周面に若干食い込みながら、押し下げられる。そして、上面接触部３１がバッテリーポストＰの上面と接触して、上側締結部２３及び接触部３０が下板本体部４１と平行な状態となると、ナット７３のねじ込みが停止される。
【００２５】
ナット７３のねじ込みを停止した状態では、バッテリーポストＰの上端部の外周面を側面接触部３３が食い込むように挟み込んでいることから、意図せずにバッテリーポストＰからバッテリー端子１０が浮き上がらない状態となる。また、バッテリーポストＰに対して、側面接触部３３及び上面接触部３１で接触することで、バッテリー端子１０がバッテリーポストＰと電気的に接続される。なお、側面接触部３３がバッテリーポストＰの上端部の外周面の全周を覆うことで、バッテリーポストＰとバッテリー端子１０との接触面積を大きくすることができる。また、上板部２０の一部に設けられた接触部３０自体が、バッテリーポストＰに対して挟み込むようになることで、部品点数を削減することができる。また、接触部３０がバッテリーポストＰの上端部を覆うために、スタッドボルト６１に丸端子を接続する場合等に、バッテリーポストＰに工具などがあたることを抑制できる。
【００２６】
なお、上面接触部３１がバッテリーポストＰの上面に接触した状態で、ナット７３をさらにねじ込もうとしても、上面接触部３１がバッテリーポストＰの上面と当接してそれ以上のねじ込みを阻止するから、ナット７３による過度の締め付けを防止できる。また、側面接触部３３は、バッテリーポストＰの上部にしか力をかけておらず、バッテリーポストＰの上部は中実状であることから、側面接触部３３の挟み込む力によってバッテリーポストＰが破損する虞はない。
【００２７】
以上のように、本実施形態では、バッテリーポストＰに取り付けられた上板部２０の上側締結部２３に対して、上側締結部２３と下側締結部４５と間を接近させるように、ボルト７１とナット７３がねじ込まれることで、上板部２０の上側締結部２３と接触部３０が押し下げられる。バッテリーポストＰは上端が僅かに細くなるテーパー形状をしているため、上板部２０が押し下げられる過程で側面接触部３３がバッテリーポストＰの外周面に密着すると共にボルト７１とナット７３との締付度合いによっては上面接触部３１がバッテリーポストＰの上面に当接する。このバッテリー端子１０では、上板部２０の接触部３０自体がバッテリーポストＰに対して挟み込むようになることで、部品点数を減らすことができる。また、バッテリーポストＰの中実状であって強度の高い上部に対して挟み込むから、バッテリーポストＰが破損する虞がない。
【００２８】
＜他の実施形態＞
本明細書によって開示される技術は上記記述及び図面によって説明した実施形態に限定されるものではなく、例えば次のような種々の態様も含まれる。
（１）上記実施形態では、側面接触部３３は、バッテリーポストＰの外周面の全周を覆うようになっていたが、途中でスリットが入っていたり、一部だけを覆うようになっていたりしても良い。
【００２９】
（２）上記実施形態では、上板部２０と下板部４０とが一枚の導電性金属板を曲げ形成することで一体とされていたが、上板部２０と下板部４０とを別の板材から成形したものを、ベース部で係止して一体としても良い。
【００３０】
（３）上記実施形態では、上面接触部３１がバッテリーポストＰの上面全体と当接していたが、バッテリーポストＰの上面の一部と接触していても良い。
【００３１】
（４）上記実施形態では、下側締結部４５にボルト７１が固定されて、ナット７３をねじ込むようにされていたが、下側締結部４５にナット７３を固定してボルト７１をねじ込んでも良い。
【符号の説明】
【００３２】
１０…バッテリー端子
２０…上板部
２１…屈曲部
２３…上側締結部
２３Ａ…締結面
２５…長孔
３０…接触部
３１…上面接触部
３３…側面接触部
４０…下板部
４１…下板本体部
４３…ポスト挿通孔
４５…下側締結部
４７…ボルト孔
４９…下側繋ぎ部
６０…ベース部
７０…締結部材
７１…ボルト
７３…ナット
【図１】
2018120696.tif 000003
【図２】
2018120696.tif 000004
【図３】
2018120696.tif 000005
【図４】
2018120696.tif 000006